(57)【要約】【課題】ミスト化したインク滴による装置内の汚染を防止することができる液体噴射装置を提供する。【解決手段】ノズル面からインクを噴射する記録ヘッド１２と、上記記録ヘッド１２が搭載されて主走査方向Ｘに往復移動するキャリッジ１とを備え、上記キャリッジ１には、上記記録ヘッド１２の主走査方向Ｘの両側に、記録ヘッド１２の根元部近傍から記録ヘッド１２から離れるに従い徐々に記録面に近くなる制御面３１を有し、上記キャリッジ１の移動に伴って発生する気流が記録紙６の記録面に向かうよう制御する制御突部３０が設けられていることから、周囲に飛散して付着するミストが大幅に減少し、ミスト化したインク滴による装置内の汚染を防止することができる。【選択図】図６
2006248133.tif 000002
【特許請求の範囲】
【請求項１】
ノズル面から液体を噴射する液体噴射ヘッドと、上記液体噴射ヘッドが搭載されて主走査方向に往復移動するキャリッジとを備え、
上記キャリッジまたは液体噴射ヘッドには、上記液体噴射ヘッドの主走査方向の両側に、上記キャリッジの移動に伴って発生する気流が噴射対象面に向かうよう制御する気流制御部材が設けられていることを特徴とする液体噴射装置。
【請求項２】
上記気流制御部材は、液体噴射ヘッドの根元部近傍から液体噴射ヘッドから離れるに従い徐々に噴射対象面に近くなる制御面を有する制御突部である請求項１記載の液体噴射装置。
【請求項３】
上記制御面は凹状の湾曲面である請求項２記載の液体噴射装置。
【請求項４】
上記制御突部は少なくともノズル面より噴射対象面側に突出していない請求項２または３記載の液体噴射装置。
【請求項５】
上記制御突部は噴射対象面との距離がノズル面と略一致している請求項４記載の液体噴射装置。
【請求項６】
上記キャリッジまたは液体噴射ヘッドには、上記液体噴射ヘッドの副走査方向の両側に、上記キャリッジの移動に伴って液体噴射ヘッドの副走査方向の両側に発生する気流を上記気流制御部材に向かうようガイドする気流ガイド部材が設けられている請求項１〜５のいずれか一項に記載の液体噴射装置。
【発明の詳細な説明】
【技術分野】
【０００１】
本発明は、液体噴射ヘッドに形成されたノズル開口から被処理物に向けて液滴を噴射する液体噴射装置に係るものであり、詳しくは液体ミストの浮遊を抑えうるようにした液体噴射装置に関するものである。
【背景技術】
【０００２】
液体噴射装置の代表例であるインクジェット式記録装置は、印刷時の騒音が比較的小さく、しかも小さなドットを高い密度で形成できるため、昨今においてはカラー印刷を含めた多くの印刷に使用されている。
【０００３】
このようなインクジェット式記録装置は、一般に、キャリッジ上に搭載されて記録紙等の記録媒体（被処理物）の幅方向（ヘッド走査方向）に往復移動するインクジェット式記録ヘッドと、記録媒体をヘッド走査方向と直交する方向（送り方向）に移動させる送り機構とを備えており、さらに、記録ヘッドに対向して配置され、送り機構により搬送される記録媒体を裏面から支持して記録ヘッドに対する記録媒体の位置を規定するプラテンを備えている。
【０００４】
このインクジェット式記録装置においては、印刷データに対応して記録ヘッドより記録媒体に対してインク滴を吐出することで印刷が行われる。そして、キャリッジ上に搭載される記録ヘッドを、例えばブラック、イエロー、シアン、マゼンタの各色のインクの吐出が可能なものとすることにより、ブラックインクによるテキスト印刷ばかりでなく、各インクの吐出割合を変えることにより、フルカラー印刷を可能としている。
【０００５】
このインクジェット式記録装置を用いて、記録媒体の縁部に余白を残すことなく記録媒体の表面の全体に対して印刷（いわゆる四辺縁無し印刷）を施す場合、記録媒体およびキャリッジの位置ずれに対する余裕を考慮して、記録媒体のサイズよりもやや広い領域に対して印刷を行うようにしている。
【０００６】
すなわち、記録媒体の左右の側縁（送り方向に延在する縁）の部分に余白を残すことなく印刷を施すために、印刷時における記録ヘッドの走査範囲を、記録媒体の側縁よりも外側に外れる位置まで設定可能とされている。
【０００７】
さらに、記録媒体の前後縁（ヘッド走査方向に延在する縁）の部分に余白を残すことなく印刷を施す際には、記録媒体の印刷開始時においては記録媒体の前縁よりも前側に外れる領域までを印刷対象領域に指定すると共に、記録媒体の印刷終了時においては記録媒体の後縁よりも後側に外れる領域までを印刷対象領域に指定する。
【０００８】
そして、記録媒体から外れた領域に向けて吐出されたインク滴は、記録ヘッドに対向して記録媒体の裏面側に配置されたインク吸収部材（スポンジ、ベルイータ等）で吸収するようにしている。
【特許文献１】特開２００２−８６７５７号公報
【発明の開示】
【発明が解決しようとする課題】
【０００９】
ところが、インク吸収部材は記録媒体の裏面側に離間して配置されており、ノズル開口からインク吸収部材までの距離は、ノズル開口から記録媒体までの距離に比べてかなり長い。このため、記録媒体から外れた領域に向けてインク滴が吐出された場合、ノズル開口から吐出されたインク滴が空気抵抗を受けて減速し、インク吸収部材まで到達せずにミスト化してしまう場合があった。特に、画質を向上させるためにインク滴の体積（重量）を小さくすると、空気抵抗による減速の度合いが大きくなってインク滴がミスト化しやすくなる。
【００１０】
一方、インクジェット式記録装置の内部はケースによって囲まれたほぼ閉じられた空間であるために、ヘッド走査方向にキャリッジが移動すると、移動してきたキャリッジによって空気が押し出されると同時にキャリッジが通り過ぎた部分には空気が流れ込む。このため、移動方向におけるキャリッジの前方下方では下降流が発生し、キャリッジの後方下方では空気が巻き上げられて上昇流が発生する。
【００１１】
図１１は、記録ヘッド１００を持つキャリッジ１０１が紙面上左側に移動する際の風の流れ（気流）を示した図である。なお、図１１において符号１０２は記録紙を示す。
【００１２】
また、キャリッジ１０１の移動に伴って、キャリッジ１０１の移動方向の前後のみならず左右下方においても上昇流が発生する。
【００１３】
図１２は、キャリッジ１０１が紙面に垂直な方向に移動する際の移動方向の左右下方における風の流れを示した図である。なお、図１２において符号１０３は記録紙１０２をその裏面から支持するプラテンを示している。
【００１４】
図１１および図１２に示したように、インク吸収部材に到達せずにミスト化したインク滴は、キャリッジ１０１の移動に伴って発生した風に乗って周囲に飛散して付着し、装置内を汚染することとなる。このように装置内にインクミストが付着し堆積すると、堆積したインクミストが記録紙１０２に付着して、記録紙１０２に筋状の汚れが発生することがある。
【００１５】
本発明は、このような事情に鑑みなされたもので、被処理物の縁部に余白を残すことなく液滴を付与する場合や、噴射する液滴を小径化した場合においても、ミスト化した液滴による装置内の汚染を防止することができる液体噴射装置を提供することを目的とする。
【課題を解決するための手段】
【００１６】
上記課題を解決するため、本発明の液体噴射装置は、ノズル面から液体を噴射する液体噴射ヘッドと、上記液体噴射ヘッドが搭載されて主走査方向に往復移動するキャリッジとを備え、上記キャリッジまたは液体噴射ヘッドには、上記液体噴射ヘッドの主走査方向の両側に、上記キャリッジの移動に伴って発生する気流が噴射対象面に向かうよう制御する気流制御部材が設けられていることを要旨とする。
【００１７】
すなわち、本発明は、上記キャリッジまたは液体噴射ヘッドには、上記液体噴射ヘッドの主走査方向の両側に、上記キャリッジの移動に伴って発生する気流が噴射対象面に向かうよう制御する気流制御部材が設けられている。このため、キャリッジの往復移動に伴って発生する気流が噴射対象面に向かうことから、周囲に飛散して付着するミストが大幅に減少する。したがって、噴射対象物の縁部に余白を残すことなく液滴を噴射したり、噴射する液滴を小径化したりした場合においても、ミスト化した液滴による装置内の汚染を防止することができ、噴射対象物の汚染を防止することもできる。
【００１８】
本発明において、上記気流制御部材は、液体噴射ヘッドの根元部近傍から液体噴射ヘッドから離れるに従い徐々に噴射対象面に近くなる制御面を有する制御突部である場合には、キャリッジの往復移動に伴って発生する気流が上記制御面に押されて噴射対象面に向かい、ミストの周囲への飛散を効果的に減少させて装置内の汚染が防止される。
【００１９】
本発明において、上記制御面は凹状の湾曲面である場合には、上記制御面は液体噴射ヘッドから離れて噴射対象面に近くなるほど傾斜が大きくなるため、キャリッジの往復移動に伴って発生する気流があまり乱流を起さずにスムーズに噴射対象面に向かい、ミストの周囲への飛散を効果的に防止し、装置内の汚染が防止される。
【００２０】
本発明において、上記制御突部は少なくともノズル面より噴射対象面側に突出していない場合には、ノズル面と噴射対象面との距離を不必要に大きくすることがないため、ミストの周囲への飛散を防止する効果が低下しない。
【００２１】
本発明において、上記制御突部は噴射対象面との距離がノズル面と略一致している場合には、ノズル面と噴射対象面との距離を不必要に大きくせず、かつミストの周囲への飛散を最も効果的に防止でき、装置内の汚染を効果的に防止する。
【００２２】
本発明において、上記キャリッジまたは液体噴射ヘッドには、上記液体噴射ヘッドの副走査方向の両側に、上記キャリッジの移動に伴って液体噴射ヘッドの副走査方向の両側に発生する気流を上記気流制御部材に向かうようガイドする気流ガイド部材が設けられている場合には、上記キャリッジの移動に伴って液体噴射ヘッドの副走査方向の両側に発生した気流が上記気流制御部材に向かうようガイドされるため、キャリッジの往復移動に伴って噴射対象面に向かう気流の勢いが増して周囲の空気も巻き込むことから、ミストの周囲への飛散を効果的に防止し、装置内の汚染が防止される。
【発明を実施するための最良の形態】
【００２３】
つぎに、本発明の実施の形態を詳しく説明する。
【００２４】
以下、本発明の液体噴射装置をインクジェット式記録装置に適用した一実施の形態について説明する。
【００２５】
本実施形態によるインクジェット式記録装置は、ノズル開口に連通する圧力室に対応して設けられた圧力発生素子により、圧力室内のインクに圧力変動を生じさせてノズル開口からインク滴を吐出するインクジェット式記録ヘッド（液体噴射ヘッドの一種）を備えている。圧力発生素子としては、例えば圧電振動子を用いることができる。
【００２６】
図１および図２は、本実施形態によるインクジェット式記録装置の概略構成を示した斜視図であり、図３は同インクジェット式記録装置のプラテンおよびその周辺を拡大して示した図である。
【００２７】
図１中符号１はキャリッジであり、このキャリッジ１はキャリッジモータ２により駆動されるタイミングベルト３を介して、ガイド部材であるキャリッジシャフト４に案内されてプラテン５の軸方向（主走査方向）Ｘに往復移動されるように構成されている。プラテン５は、噴射対象物である記録紙６をその裏面から支持して記録ヘッド１２に対する記録紙６の位置を規定する支持部材である。
【００２８】
キャリッジ１、キャリッジモータ２、タイミングベルト３、およびキャリッジシャフト４は、インクジェット式記録ヘッド１２をキャリッジ１と共にヘッド走査方向に走査させる走査機構を構成している。
【００２９】
液体噴射ヘッドとしての記録ヘッド１２は、ノズル面に形成された複数のノズル開口１２ａのそれぞれに連通する複数の圧力室１２ｂを有し、ノズル面が記録紙６に対向する側になるようキャリッジ１に搭載されている。また、キャリッジ１には、記録ヘッド１２にインクを供給するインクカートリッジ７が着脱可能に装着されている。
【００３０】
インクジェット式記録装置の非印刷領域であるホームポジション（図１中、右側）にはキャップ部材１３が配置されており、このキャップ部材１３はキャリッジ１に搭載された記録ヘッド１２がホームポジションに移動した時に、記録ヘッド１２のノズル面に押し当てられてノズル面との間に密閉空間を形成するように構成されている。そして、キャップ部材１３の下方には、キャップ部材１３により形成された密閉空間に負圧を与えるためのポンプユニット１０が配置されている。
【００３１】
キャップ部材１３の印刷領域側の近傍には、ゴムなどの弾性板を備えたワイピング手段１１が記録ヘッド１２の移動軌跡に対して例えば水平方向に進退できるように配置されていて、キャリッジ１がキャップ部材１３側に往復移動するに際して、必要に応じて記録ヘッド１２のノズル面を払拭することができるように構成されている。
【００３２】
本実施形態によるインクジェット式記録装置は、さらに、記録ヘッド１２により印刷処理が行われる記録紙６をヘッド走査方向である主走査方向Ｘに対して直交する送り方向（副走査方向）Ｙに間欠的に搬送する送り機構を備えている。
【００３３】
図３に示すように、送り機構は、記録紙６を挟み込んでプラテン５上へ送るために互いに対向配置された給紙ローラ１４ａ、１４ｂと、印刷された記録紙６を排出するために互いに対向配置された排紙ローラ１５ａ、１５ｂを備えている。なお、給紙ローラ１４ａおよび排紙ローラ１５ａは従動ローラであり、給紙ローラ１４ｂおよび排紙ローラ１５ｂは駆動ローラである。
【００３４】
また、プラテン５は、給紙方向（副走査方向）Ｙと平行な方向に延びる複数のインク受け縦部分５ｃ、５ｄ、５ｅ、５ｆと、給紙方向Ｙに対して直交するヘッド走査方向（主走査方向）Ｘに延びる複数のインク受け横部分５ａ、５ｂとが形成されている。
【００３５】
複数のインク受け縦部分５ｃ、５ｄ、５ｅ、５ｆのうち、一対のインク受け縦部分５ｃはＡ３サイズの記録紙６の左右端がそれぞれ真上を通過するように配置されており、他の一対のインク受け縦部分５ｄはＢ４サイズの記録紙６の左右端がそれぞれ真上を通過するように配置されており、他の一対のインク受け縦部分５ｅはＡ４サイズの記録紙６の左右端がそれぞれ真上を通過するように配置されており、他の一対のインク受け縦部分５ｆはＢ５サイズの記録紙６の左右端がそれぞれ真上を通過するように配置されている。
【００３６】
また、複数のインク受け横部分５ａ、５ｂは、給紙側に配置されている給紙側インク受け横部分５ａと、排紙側に配置されている排紙側インク受け横部分５ｂとからなる。
【００３７】
これらのインク受け部分５ａ、５ｂ、５ｃ、５ｄ、５ｅ、５ｆには、いずれも、記録ヘッド１２から吐出されたインクを吸収するインク吸収部材１６が配置されている。インク吸収部材１６は、スポンジ、ベルイータ等で形成することができる。
【００３８】
図２に示したように、記録ヘッド１２が搭載されたキャリッジ１を含む走査機構、送り機構、およびプラテン５等は、カバー２１およびハウジング２２から成るケース２０の中に収納されている。
【００３９】
つぎに、上記キャリッジ１および記録ヘッド１２の詳細について説明する。
【００４０】
図４は本発明が適用されたキャリッジ１および記録ヘッド１２の斜視図であり、図５（ａ）は正面図、図５（ｂ）は側面図である。
【００４１】
上記キャリッジ１には、上記記録ヘッド１２の主走査方向Ｘの両側に、上記キャリッジの移動に伴って発生する気流が記録紙６の記録面に向かうよう制御する気流制御部材がそれぞれ設けられている。この例では、上記気流制御部材として、記録ヘッド１２の根元部近傍から記録ヘッド１２から離れるに従い徐々に噴射対象面である記録紙６の記録面に近くなる制御面３１を有する制御突部３０が設けられている。
【００４２】
上記各制御突部３０は、キャリッジ１の記録紙６と対面する面に取り付けられており、記録ヘッド１２の主走査方向Ｘの両側に、副走査方向Ｙを軸として対称となるよう設けられている。上記制御突部３０の副走査方向Ｙの寸法は、記録ヘッド１２の副走査方向の寸法と略同じに設定されており、上記制御突部３０は、正面視において、記録ヘッド１２側の高さが低く記録ヘッド１２から離れるにしたがって高くなる大略三角形状を呈している。これにより、記録ヘッド１２の主走査方向Ｘの両側には、制御突部３０との間に副走査方向Ｙに向かって延びる空間３６が形成されている。
【００４３】
上記制御突部３０の記録ヘッド１２側すなわち上記空間３６側の面が、キャリッジ１の移動に伴って発生する気流を記録紙６側に押して気流を制御する制御面３１に形成されている。上記制御面３１は、記録ヘッド１２の根元部近傍から記録ヘッド１２から離れるに従い徐々に記録紙６に近くなるよう形成されている。そして、この例では、上記制御面３１は凹状の湾曲面に形成されており、記録ヘッド１２に近い部分の曲率が小さく、記録ヘッド１２から離れるに従って徐々に曲率が大きくなる湾曲面に形成されている。
【００４４】
また、上記制御突部３０は、最も記録紙６に近くなる副走査方向Ｙに向かって延びる頂部３３が、少なくともノズル面１７より記録紙６側に突出しないように形成されている。さらに、この例では、上記制御突部３０の頂部３３と記録紙６の記録面との距離が、ノズル面１７と記録紙６の記録面との距離と略一致するように形成されている。
【００４５】
つぎに、上記記録装置の作用について説明する。
【００４６】
図６（ａ）に示すように、キャリッジ１がホームポジション側に向かって移動するときは、移動の後方側の制御突部３０の制御面３１に気流が当って当該制御面３１に沿って流れ、結果的に空間３６内の気流は記録紙６に向かって押さえられることとなる。その結果、記録ヘッド１２から吐出されたインク滴は、記録紙６に向かって流れる気流の作用で記録紙６側に押さえられてミストになって浮遊するのが防止される。特に、キャリッジ１の移動の後方側は、噴射されたミストが浮遊しやすいので、そこに上記制御突部３０を存在させることによりミストの浮遊を防止するのが効果的である。
【００４７】
図６（ｂ）は、上記と反対に、キャリッジ１がホームポジションと反対側に向かって移動する状態を示している。左右が反対となっただけで同様であり、移動の後方側の制御突部３０の制御面３１に気流が当って当該制御面３１に沿って流れ、結果的に空間３６内の気流は記録紙６に向かって押さえられる。その結果、記録ヘッド１２から吐出されたインク滴は、記録紙６に向かって流れる気流の作用で記録紙６側に押さえられてミストになって浮遊するのが防止される。
【００４８】
以上の構成により、本発明は、上記キャリッジ１には、上記記録ヘッド１２の主走査方向の両側に、上記キャリッジ１の移動に伴って発生する気流が噴射対象面に向かうよう制御する気流制御部材が設けられている。このため、キャリッジ１の往復移動に伴って発生する気流が記録紙６の記録面に向かうことから、周囲に飛散して付着するミストが大幅に減少する。したがって、記録紙６の縁部に余白を残すことなくインク滴を噴射したり、噴射するインク滴を小径化したりした場合においても、ミスト化したインク滴による装置内の汚染を防止することができ、記録紙６の汚染を防止することもできる。
【００４９】
また、上記気流制御部材は、記録ヘッド１２の根元部近傍から記録ヘッド１２から離れるに従い徐々に記録紙６の記録面に近くなる制御面３１を有する制御突部３０であるため、キャリッジ１の往復移動に伴って発生する気流が上記制御面３１に押されて記録紙６の記録面に向かい、ミストの周囲への飛散を効果的に減少させて装置内の汚染が防止される。
【００５０】
このとき、上記各制御突部３０は、記録ヘッド１２の主走査方向Ｘの両側に、副走査方向Ｙを軸として対称となるよう設けられていることから、キャリッジ１が往復移動する際のホームポジション側に向かう移動の際も、ホームポジションと反対側に向かう移動の際も、同様にミストの周囲への飛散を効果的に減少させることができるうえ、記録ヘッド１２の周囲の気流の乱れが少なくなってより効果的にミスト飛散を防止できる。
【００５１】
また、上記制御面３１は凹状の湾曲面であるため、上記制御面３１は記録ヘッド１２から離れて記録紙６の記録面に近くなるほど傾斜が大きくなり、キャリッジ１の往復移動に伴って発生する気流があまり乱流を起さずにスムーズに記録紙６の記録面に向かい、ミストの周囲への飛散を効果的に防止し、装置内の汚染が防止される。
【００５２】
さらに、上記湾曲面が、記録ヘッド１２に近い部分の曲率が小さく、記録ヘッド１２から離れるに従って徐々に曲率が大きくなる湾曲面に形成されていることから、キャリッジ１の往復移動に伴って発生する気流がより乱流を起さずにスムーズに記録紙６の記録面に向かい、ミストの周囲への飛散を効果的に防止しうる。
【００５３】
また、上記制御突部３０は少なくともノズル面より記録紙６の記録面側に突出していないため、ノズル面と記録紙６の記録面との距離を不必要に大きくすることがないため、ミストの周囲への飛散を防止する効果が低下しない。
【００５４】
また、上記制御突部３０は記録紙６の記録面との距離がノズル面と略一致しているため、ノズル面と記録紙６の記録面との距離を不必要に大きくせず、かつミストの周囲への飛散を最も効果的に防止でき、装置内の汚染を効果的に防止する。
【００５５】
図７は、本発明が適用されるキャリッジ１と記録ヘッド１２の第２例である。
【００５６】
図７（ａ）は、制御面３１が徐々に曲率が変わる湾曲面ではなく、曲率が一定で正面から見て円弧状の湾曲面に形成された例である。この例では、制御突部３０自体の主走査方向Ｘの寸法を小型化することができる。それ以外は、上述した例と同様であり、同様の部分には同じ符号を付している。この例でも上述した例と同様の作用効果を奏する。
【００５７】
図７（ｂ）は、制御面３１が湾曲面ではなく、ストレートの傾斜面に形成された例である。この例では、制御突部３０自体の形状を単純化して聖像コストを節減することができる。それ以外は、上述した例と同様であり、同様の部分には同じ符号を付している。この例でも上述した例と同様の作用効果を奏する。
【００５８】
図８は、本発明が適用されるキャリッジ１と記録ヘッド１２の第３例である。
【００５９】
上記キャリッジ１または記録ヘッド１２には、上記記録ヘッド１２の副走査方向Ｙの両側に、上記キャリッジ１の移動に伴って記録ヘッド１２の副走査方向Ｙの両側に発生する気流を上記制御突部３０に向かうようガイドする気流ガイド部材としての気流ガイド突部３２が設けられている。
【００６０】
上記各気流ガイド突部３２は、キャリッジ１の記録紙６と対面する面に取り付けられており、記録ヘッド１２の副走査方向Ｙの両側に、主走査方向Ｘを軸として対称となるよう設けられている。上記両気流ガイド突部３２と両制御突部３０は端部同士が連結されて一体的に形成され、記録ヘッド１２の四方周囲を囲う枠状部材に形成されている。
【００６１】
上記気流ガイド突部３２は、側面視において記録ヘッド１２側の高さが低く記録ヘッド１２から離れるにしたがって高くなる大略三角形状を呈している。これにより、記録ヘッド１２の副走査方向Ｙの両側には、気流ガイド突部３２との間に主走査方向Ｘに向かって延びる空間３７が形成されている。
【００６２】
そして、記録ヘッド１２の主走査方向Ｘの両側において制御突部３０との間に形成された空間３６と、記録ヘッド１２の副走査方向Ｙの両側において気流ガイド突部３２との間に形成された空間３７と互いに連通した空間を形成している。
【００６３】
そして、上記気流ガイド突部３２の記録ヘッド１２側すなわち上記空間３７側の面が、上記キャリッジ１の移動に伴って記録ヘッド１２の副走査方向Ｙの両側に発生する気流を上記制御突部３０に向かうようガイドするガイド面３４に形成されている。上記ガイド面３４は、この例では、記録ヘッド１２の根元部近傍から記録ヘッド１２から離れるに従い徐々に記録紙６に近くなるよう形成されている。また、上記ガイド面３４は凹状の湾曲面に形成されており、上記制御面３１と同様に、記録ヘッド１２に近い部分の曲率が小さく、記録ヘッド１２から離れるに従って徐々に曲率が大きくなる湾曲面に形成されている。    
【００６４】
また、上記気流ガイド突部３２は、最も記録紙６に近くなる主走査方向Ｘに向かって延びる頂部３５が、少なくともノズル面１７より記録紙６側に突出しないように形成されている。さらに、上記気流ガイド突部３２の頂部３５と記録紙６の記録面との距離が、ノズル面１７と記録紙６の記録面との距離と略一致するように形成されている。
【００６５】
このように、上記気流ガイド突部３２は少なくともノズル面より記録紙６の記録面側に突出していないため、ノズル面と記録紙６の記録面との距離を不必要に大きくすることがないため、ミストの周囲への飛散を防止する効果が低下しない。
【００６６】
また、上記気流ガイド突部３２は記録紙６の記録面との距離がノズル面と略一致しているため、ノズル面と記録紙６の記録面との距離を不必要に大きくせず、かつ気流を制御してミストの周囲への飛散を最も効果的に防止でき、装置内の汚染を効果的に防止する。
【００６７】
つぎに、上記第３例の記録装置の作用について説明する。
【００６８】
図９に示すように、キャリッジ１がホームポジション側に向かって移動するときは、移動の後方側の制御突部３０の制御面３１に気流が当って当該制御面３１に沿って流れ、結果的に空間３６内の気流は記録紙６に向かって押さえられることとなる。一方、移動の前方側では、制御突部３０と記録紙６との隙間から空気が流れ込んで記録ヘッド１２の周囲の空間３６，３７で気流を生じる。このように前方から流れ込んだ空気で生じた気流は、気流ガイド突部３２のガイド面３４に沿って移動の後方側の制御突部３０の制御面３１に導かれ、当該制御面３１に気流が当って記録紙６に向かって押さえられることとなる。
【００６９】
その結果、記録ヘッド１２から吐出されたインク滴は、記録紙６に向かって流れる気流の作用で記録紙６側に押さえられてミストになって浮遊するのが防止される。このように、前方から流れ込んだ空気による気流も記録紙６側に押さえるため、キャリッジ１の往復移動に伴って記録紙６の記録面に向かう気流の勢いが増し、周囲の空気も巻き込むことから、ミストの周囲への飛散を一層効果的に防止し、装置内の汚染が防止される。
【００７０】
図１０は、上記と反対に、キャリッジ１がホームポジションと反対側に向かって移動する状態を示している。左右が反対となっただけで同様であり、移動の後方側の制御突部３０の制御面３１に気流が当って当該制御面３１に沿って流れ、結果的に空間３６内の気流は記録紙６に向かって押さえられることとなる。一方、移動の前方側では、制御突部３０と記録紙６との隙間から空気が流れ込んで記録ヘッド１２の周囲の空間３６，３７で気流を生じる。このように前方から流れ込んだ空気で生じた気流は、気流ガイド突部３２のガイド面３４に沿って移動の後方側の制御突部３０の制御面３１に導かれ、当該制御面３１に気流が当って記録紙６に向かって押さえられることとなる。
【００７１】
このように、上記キャリッジ１には、上記記録ヘッド１２の副走査方向の両側に、上記キャリッジ１の移動に伴って記録ヘッド１２の副走査方向Ｙの両側に発生する気流を上記制御突部３０に向かうようガイドする気流ガイド突部３２が設けられているため、上記キャリッジ１の移動に伴って記録ヘッド１２の副走査方向の両側に発生した気流が上記制御突部３０に向かうようガイドされるため、キャリッジ１の往復移動に伴って記録紙６の記録面に向かう気流の勢いが増して周囲の空気も巻き込むことから、ミストの周囲への飛散を効果的に防止し、装置内の汚染が防止される。
【００７２】
また、上記各気流ガイド突部３２は、記録ヘッド１２の副走査方向Ｙの両側に、主走査方向Ｘを軸として対称となるよう設けられていることから、記録ヘッド１２の周囲の気流の乱れが少なくなり、ミストの周囲への飛散を効果的に減少させることができる。
【００７３】
なお、この第３例において、制御突部３０の制御面３１を、図７（ａ）（ｂ）に示したように、曲率一定で円弧状の湾曲面に形成したりストレートの傾斜面に形成したりすることもできるし、気流ガイド突部３２のガイド面３４を、曲率一定で円弧状の湾曲面に形成したりストレートの傾斜面に形成したりすることもできる。また、制御突部３０の制御面３１を湾曲面として気流ガイド突部３２のガイド面３４をストレートの傾斜面に形成するように、組み合わせて適用することもできる。
【００７４】
なお、上述した説明では、キャリッジ１に気流制御部材としての制御突部３０を設けた例を示したが、上記気流制御部材としての制御突部３０は、記録ヘッド１２を構成するケースヘッドに一体的に形成させる等、記録ヘッド１２自体に形成するようにもできる。この場合も同様の作用効果を奏する。
【００７５】
本発明は、液体噴射装置に適用可能であり、その代表例としては、画像記録用のインクジェット式記録ヘッドを備えたインクジェット式記録装置がある。その他の液体噴射装置としては、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置等があげられる。
【図面の簡単な説明】
【００７６】
【図１】本発明が適用される記録装置の一例を示す平面図である。
【図２】上記記録装置を示す斜視図である。
【図３】上記記録装置のプラテンおよびその周辺部を示す平面図である。
【図４】本発明が適用されたキャリッジと記録ヘッドを示す斜視図である。
【図５】上記キャリッジと記録ヘッドを示す図であり、（ａ）は正面図、（ｂ）は側面図である。
【図６】本発明の作用を説明する図である。
【図７】（ａ）は本発明が適用されたキャリッジと記録ヘッドの第２例を示し、（ｂ）は第３例を示す。
【図８】本発明が適用されたキャリッジと記録ヘッドの第３例を示し、（ａ）は正面図、（ｂ）は側面図、（ｃ）はノズル面側から見た図である。
【図９】上記第３例の作用を説明する図である。
【図１０】上記第３例の作用を説明する図である。
【図１１】従来例を示す図である。
【図１２】従来例を示す図である。
【符号の説明】
【００７７】
１  キャリッジ，２  キャリッジモータ，３  タイミングベルト，４  キャリッジシャフト，５  プラテン，５ａ，５ｂ  インク受け横部分，５ｃ，５ｄ，５ｅ，５ｆ  インク受け縦部分，６  記録紙，７  インクカートリッジ，１０  ポンプユニット，１１  ワイピング手段，１２  記録ヘッド，１２ａ  ノズル開口，１２ｂ  圧力室，１３  キャップ部材，１４ａ，１４ｂ  給紙ローラ，１５ａ，１５ｂ  排紙ローラ，１６  インク吸収部材，１７  ノズル面，２０  ケース，２１  カバー，２２  ハウジング，３０  制御突部，３１  制御面，３２  気流ガイド突部，３３  頂部，３４  ガイド面，３５  頂部，３６  空間，３７  空間，１００  記録ヘッド，１０１  キャリッジ，１０２  記録紙，１０３  プラテン
【図１】
2006248133.tif 000003
【図２】
2006248133.tif 000004
【図３】
2006248133.tif 000005
【図４】
2006248133.tif 000006
【図５】
2006248133.tif 000007
【図６】
2006248133.tif 000008
【図７】
2006248133.tif 000009
【図８】
2006248133.tif 000010
【図９】
2006248133.tif 000011
【図１０】
2006248133.tif 000012
【図１１】
2006248133.tif 000013
【図１２】
2006248133.tif 000014